(57)【要約】【課題】隙間なく密着させて並列配置可能な集塵機を提供する。【解決手段】正面、背面、上面、下面、左側面、右側面を有する箱型の筐体１２と、正面に吸気口１６と、背面に排気口２０と、吸気口１６の周囲に外枠部３０とを具備し、外枠部３０は上外周面３０１、下外周面３０２、左外周面３０３、および右外周面３０４を有し、左外周面３０３と右外周面３０４とが正面視で同一形状であり、左外周面３０３は正面視で左方最外部になり、右外周面３０４は正面視で右方最外部になる。【選択図】図１
2018083177.tif 000002
【特許請求の範囲】
【請求項１】
正面、背面、上面、下面、左側面、右側面を有する箱型の筐体と、
前記正面に吸気口と、
前記背面に排気口と、
前記吸気口の周囲に外枠部とを具備し、
該外枠部は上外周面、下外周面、左外周面、および右外周面を有し、
前記左外周面と前記右外周面とが正面視で同一形状であり、前記左外周面は正面視で左方最外部になり、前記右外周面は正面視で右方最外部になることを特徴とする集塵機。
【請求項２】
前記上外周面と前記下外周面とが正面視で同一形状であり、前記上外周面は正面視で上方最外部になり、前記下外周面は正面視で下方最外部になることを特徴とする請求項１に記載の集塵機。
【請求項３】
前記上外周面と前記下外周面とが正面視で同一形状であり、前記下面にキャスタまたは脚を有し、該キャスタまたは該脚の下端部は正面視で下方最外部になり、前記上面における前記キャスタまたは前記脚の鉛直上方の対応位置に、前記キャスタの設置領域および移動領域よりも広く且つ正面視で前記下外周面からの突出量よりも深く形成された上溝部が設けられていることを特徴とする請求項１に記載の集塵機。
【請求項４】
前記上外周面と前記下外周面とが正面視で同一形状であり、前記上面に把持部を有し、該把持部の上端部は正面視で上方最外部になり、前記下面における前記把持部の鉛直下方の対応位置に、前記把持部の設置領域よりも広く且つ正面視で前記上外周面からの突出量よりも深く形成された下溝部が設けられていることを特徴とする請求項１に記載の集塵機。
【請求項５】
前記上外周面および前記下外周面は、相互に平行な水平面であり、前記左外周面および前記右外周面は、相互に平行な鉛直面であることを特徴とする請求項１から請求項４のいずれか一項に記載の集塵機。
【請求項６】
前記正面における前記吸気口の周囲には、上目張り面、下目張り面、左目張り面、右目張り面から成る目張り面を有し、前記上目張り面の最外辺と前記下目張り面の最外辺とが平面視で同一位置にあり、前記左目張り面の最外辺と前記右目張り面の最外辺とが側面視で同一位置にあることを特徴とする請求項１から請求項５のいずれか一項に記載の集塵機。
【請求項７】
前記上目張り面、前記下目張り面、前記左目張り面および前記右目張り面は、同一平面内にあることを特徴とする請求項６に記載の集塵機。
【請求項８】
前記筐体の内部にフィルタが収納され、前記フィルタは少なくとも１つ以上の前記フィルタを有し、吸気口側の最外面に設けられる前記フィルタがマグネットによって固定され、着脱可能であることを特徴とする請求項１から請求項６のいずれか一項に記載の集塵機。
【発明の詳細な説明】
【技術分野】
【０００１】
本発明は、集塵機に関し、吸気口を同一方向に向けて並列配置可能な集塵機に関する。
【背景技術】
【０００２】
各種の粉塵、ミスト等の塵埃が存在する室内で作業を行う際に、吸気口から粉塵を含む空気を吸引し、粉塵をフィルタで捕集して除去を行い、空気を排気口から排出する集塵機が用いられている。吸気口と排気口とを備え、筐体の中にフィルタを有し、フィルタの着脱を行うために設けられた開閉扉を有している集塵機が特許文献１に記載されている。
【先行技術文献】
【特許文献】
【０００３】
【特許文献１】特開２０１６−１８２５６６号公報
【発明の概要】
【発明が解決しようとする課題】
【０００４】
室内で集塵機を用いる際に、処理空気量を増やすため、吸引排出能力の高いモータやファンが内蔵された１台の大型の集塵機を用いたり、複数台の集塵機を用いたりする。しかし、大型の集塵機は重いため、運搬や移動して設置するには労力が必要である。また、複数台の集塵機を用いる場合は、一カ所にまとめて集塵機を左右に並列配置させて使用することがある。このとき、図７に示す従来の集塵機５０では、開閉扉５２をハウジングに固定する固定金具５４が側面に設けられ、開閉扉５２を開閉してフィルタの交換、設置を行う。このため、横に並べて隣り合わせにして設置すると集塵機５０と集塵機５０との間に大きな隙間ができ、粉塵が隙間に入ってしまう。そして、横に並べて設置しても上方位置にある空気を吸引できず、床に対して大きな面積を占めてしまう。また、仮に上下に並べて重ねようとしたとしても、把持部５６が上面に設けられているため、把持部５６によって上に重ねた際に集塵機５０と集塵機５０との間に大きな隙間ができてしまう。そもそも、集塵機５０が傾いてしまい水平が保たれないので、上下に重ねること自体が困難である。
【０００５】
そこで本発明は上記課題を解決するためになされたもので、その目的とするところは、隙間なく密着させて並列配置可能な集塵機を提供することにある。
【課題を解決するための手段】
【０００６】
上記の目的を達成するため、本発明の集塵機は次の構成を備える。すなわち本発明は、正面、背面、上面、下面、左側面、右側面を有する箱型の筐体と、前記正面に吸気口と、前記背面に排気口と、前記吸気口の周囲に外枠部とを具備し、該外枠部は上外周面、下外周面、左外周面、および右外周面を有し、前記左外周面と前記右外周面とが正面視で同一形状であり、前記左外周面は正面視で左方最外部になり、前記右外周面は正面視で右方最外部になることを特徴とする。この構成によれば、吸気口を同一方向に向けて複数個の集塵機を左右に並列配置でき、集塵機と他の集塵機とを隙間なく密着させることができるので、目張りも確実にでき、粉塵の進入が防止できる。
【０００７】
また、本発明において、前記上外周面と前記下外周面とが正面視で同一形状であり、前記上外周面は正面視で上方最外部になり、前記下外周面は正面視で下方最外部になる。これによれば、吸気口を同一方向に向けて複数個の集塵機を上下に安定させて並列配置でき、集塵機と他の集塵機とを隙間なく密着させることができるので、粉塵を含む空気が隙間を通過しないので、目張りも確実にでき、粉塵の進入が防止できる。
【０００８】
また、本発明において、前記上外周面と前記下外周面とが正面視で同一形状であり、前記下面にキャスタまたは脚を有し、該キャスタまたは該脚の下端部は正面視で下方最外部になり、前記上面における前記キャスタまたは前記脚の鉛直上方の対応位置に、前記キャスタの設置領域および移動領域よりも広く且つ正面視で前記下外周面からの突出量よりも深く形成された上溝部が設けられている。これによれば、吸気口を同一方向に向けて複数個の集塵機を上下に安定させて並列配置でき、下面にキャスタや集塵機用の脚を有していても、集塵機と他の集塵機とを隙間なく密着させることができる。
【０００９】
また、本発明において、前記上外周面と前記下外周面とが正面視で同一形状であり、前記上面に把持部を有し、該把持部の上端部は正面視で上方最外部になり、前記下面における前記把持部の鉛直下方の対応位置に、前記把持部の設置領域よりも広く且つ正面視で前記上外周面からの突出量よりも深く形成された下溝部が設けられている。これによれば、吸気口を同一方向に向けて複数個の集塵機を上下に安定させて並列配置でき、上面に把持部を有していても、集塵機と他の集塵機とを隙間なく密着させることができる。
【００１０】
また、本発明において、前記上外周面および前記下外周面は、相互に平行な水平面であり、前記左外周面および前記右外周面は、相互に平行な鉛直面である。これによれば、外枠部は正面視で正方形状または長方形状であり、より安定的に上下左右に複数個の集塵機を並列配置できる。また、左右方向に並列配置させやすく、集塵機を位置合わせがしやすい。
【００１１】
また、本発明において、前記正面における前記吸気口の周囲には、上目張り面、下目張り面、左目張り面、右目張り面から成る目張り面を有し、前記上目張り面の最外辺と前記下目張り面の最外辺とが平面視で同一位置にあり、前記左目張り面の最外辺と前記右目張り面の最外辺とが側面視で同一位置にある。これによれば、集塵機と他の集塵機とを並列配置して隙間なく密着させ、さらに集塵機と他の集塵機との間を確実に目張りして塞ぐことができるので、粉塵の進入を防ぐことができる。
【００１２】
また、本発明において、前記上目張り面、前記下目張り面、前記左目張り面および前記右目張り面は、同一平面内にある。これによれば、集塵機と他の集塵機との目張り面が同一平面にあるので、目張りが容易に且つ確実に行うことができる。
【００１３】
また、本発明において、前記筐体の内部にフィルタが収納され、前記フィルタは少なくとも１つ以上の前記フィルタを有し、吸気口側の最外面に設けられる前記フィルタがマグネットによって固定され、着脱可能である。これによれば、開閉扉および側面に開閉扉を固定する固定金具を設けなくても、吸気口からフィルタの着脱が容易にでき、固定できる。また、固定金具のような突起物が側面にないので側面を平面にできる。
【発明の効果】
【００１４】
本発明に係る集塵機によれば、隙間なく密着させて並列配置可能な集塵機を提供することができる。
【図面の簡単な説明】
【００１５】
【図１】本発明の実施形態に係る集塵機の例を示す概略図（正面側斜視図）である。
【図２】図１の集塵機の概略図（背面側斜視図）である。
【図３】図１の集塵機の概略図（側面図）である。
【図４】図１の集塵機の概略図（下面図）である。
【図５】図１の集塵機を上下左右に並列配置させたときの概略図（正面図）である。
【図６】図５の集塵機の概略図（背面側斜視図）である。
【図７】従来の実施形態に係る集塵機の例を示す概略図（側面図）である。
【発明を実施するための形態】
【００１６】
以下、図面を参照して、本発明の実施形態について詳しく説明する。本実施形態に係る集塵機１０の構成例として、図１に正面側斜視図（概略図）を示し、図２に背面側斜視図（概略図）を示し、図３に側面図（概略図）を示し、図４に下面図（概略図）を示す。図５に集塵機１０を上下左右に並列配置させたときの正面図（概略図）を示し、図６に集塵機１０を上下左右に並列配置させたときの背面側斜視図（概略図）を示す。なお、実施形態を説明するための全図において、同一の機能を有する部材には同一の符号を付し、その繰り返しの説明は省略する場合がある。
【００１７】
本実施形態に係る集塵機１０は、可搬型であって使用時に空間内に設置される装置であり、箱型の筐体１２内にモータ（図示せず）やファン１４が収容され、吸気口１６から室内の粉塵や埃を含む空気を吸引する。そして、その空気をフィルタ１８に通過させて、粉塵等を捕集して除去を行い、排気口２０にダクト（図示せず）を設け、排気口２０から清浄された空気を排出する装置である。集塵機１０内のモータやファン１４の形状は限定されず、集塵方式は限定されない。一例として、複数枚のフィルタ１８（１次フィルタ１８３、２次フィルタ１８４、メインフィルタ１８２）を用い、粉塵や埃を含む空気がフィルタ１８を通過する集塵機１０を示す。
【００１８】
本実施形態の集塵機１０は、箱形の筐体１２の正面に１つの吸気口１６、筐体１２の背面に１つの排気口２０を有し、吸気口１６から排気口２０まで連通し、吸気口１６から排気口２０までの経路の途中にフィルタ１８が設けられている。吸気口１６が設けられた面を筐体１２の正面、正面と向かい合う面を筐体１２の背面、集塵機１０を設置して上を向く面を筐体１２の上面、上面と向かい合う筐体１２の下面とする。その他の２面は、左側面と右側面であり、吸気口１６側である正面から見たときに左にある側面を左側面、右にある側面を右側面とする。
【００１９】
本実施形態の集塵機１０は、吸気口１６の周囲に外枠部３０を具備し、外枠部３０は上外周面３０１、下外周面３０２、左外周面３０３、および右外周面３０４を有する。そして、左外周面３０３と右外周面３０４とが正面視で同一形状であり、左外周面３０３は正面視で左方最外部になり、右外周面３０４は正面視で右方最外部になる。本実施形態では、正面視において、外枠部３０の形状が矩形状であり、左外周面３０３と右外周面３０４とが共に直線状で同一形状である。正面視で同一形状であるので、ジグソーパズルのように、外枠部３０の最外部で集塵機１０と他の集塵機１０とが接する。これにより、集塵機１０を左右に並列配置させても、外枠部３０の左外周面３０３と他の集塵機１０の外枠部３０の右外周面３０４とを隙間なく密着させることができ、左外周面３０３と右外周面３０４との面同士の密着が安定配置などの理由から好ましい。
【００２０】
また、上外周面３０１と下外周面３０２とが正面視で同一形状であり、上外周面３０１は正面視で上方最外部になり、下外周面３０２は正面視で下方最外部になる。本実施形態では、正面視において、外枠部３０の形状が矩形状であり、上外周面３０１と下外周面３０２とが共に直線状で同一形状である。集塵機１０を上下に重ねて並列配置させても、左外周面３０３と右外周面３０４と同じように、外枠部３０の上外周面３０１と他の集塵機１０の外枠部３０の下外周面３０２とを隙間なく密着させることができる。そして、上記の通り、左外周面３０３と右外周面３０４、および上外周面３０１と下外周面３０２のように、面同士の密着が安定配置などの理由から好ましい。しかし、下記のような構成としても隙間の無い並列配置が可能となる。
【００２１】
すなわち、上外周面３０１、下外周面３０２、左外周面３０３、および右外周面３０４において、それぞれ正面側に位置する辺を上端辺３０５、下端辺３０６と、左端辺３０７、右端辺３０８とする。少なくとも左端辺３０７と右端辺３０８とが正面視で同一形状であり、左端辺３０７が左方最外部、右端辺３０８が右方最外部であれば、集塵機１０同士を左右に並列配置させて密着できる。一方、少なくとも上端辺３０５と下端辺３０６とが正面視で同一形状であり、上端辺３０５が上方最外部、下端辺３０６が下方最外部であれば、集塵機１０同士を上下に並列配置させて密着できる。
【００２２】
次に、筐体１２の下面にキャスタ２４が設けられている場合について説明する。キャスタ２４の他に脚（図示せず）でもよい。この場合、キャスタ２４または脚の下端部は正面視で下方最外部になる。筐体１２の上面には、上面より窪んでいる形状の上溝部２２が設けられる。上溝部２２が設けられる位置は、筐体１２の上面におけるキャスタ２４または脚の鉛直上方に対応する位置である。上溝部２２は、キャスタ２４の設置領域および回動などの移動領域よりも平面視で広く、且つ正面視で下外周面３０２からの突出量よりも深く形成されている。図に示す上溝部２２は、一定幅、一定深さで設けられた直方体形状の窪みであり、左側面側、右側面側に設けられている。これにより、集塵機１０の上に他の集塵機１０を重ねたとき、上にある他の集塵機１０のキャスタ２４が下にある集塵機１０の上溝部２２に収納される。キャスタ２４が収納されると、集塵機１０の外枠部３０の上外周面３０１と他の集塵機１０の外枠部３０の下外周面３０２とを隙間なく密着させることができる。そして、粉塵が隙間に入ってしまうことを防げる。
【００２３】
次に、筐体１２の上面に集塵機１０を持ち運びやすくするための把持部３２が設けられている場合について説明する。ここで、把持部３２の上端部が正面視で上方最外部になる場合は、筐体１２の下面には、下面より上に窪んだ形状の下溝部３４が設けられる。下溝部３４が設けられる位置は、筐体１２の下面における把持部３２の鉛直下方に対応する位置である。下溝部３４は、把持部３２の設置領域よりも平面視で広く且つ正面視で上外周面３０１からの突出量よりも深く形成されている。図に示す把持部３２は逆Ｕ字状であり、両側面の近傍にそれぞれ設けられている。また、平面視で見たときにキャスタ２４の前輪２４１と後輪２４２との間にある。これにより、集塵機１０の上に他の集塵機１０を重ねたとき、下にある集塵機１０の把持部３２が上にある他の集塵機１０の下溝部３４に収納される。把持部３２が収納されると、集塵機１０の外枠部３０の上外周面３０１と他の集塵機１０の外枠部３０の下外周面３０２とを隙間なく密着させることができる。そして、粉塵が隙間に入ってしまうことを防げる。
【００２４】
好適な実施形態として、上外周面３０１および下外周面３０２は、相互に平行な水平面とし、左外周面３０３および右外周面３０４は、相互に平行な鉛直面とすればよい。このとき、正面視で外枠部３０は正方形状または長方形状になる。これによれば、上外周面３０１および下外周面３０２は集塵機１０が床に設置されたときに、水平面と平行となり、吸気口１６を同一方向に向けて上下方向に集塵機１０を安定させて並列配置できる。同様に左右方向にも並列配置させやすく、集塵機１０を位置合わせがしやすく、設置が容易になる。また、前述と同様に、粉塵を含む空気が隙間を通過して背面側に行かず、吸気口１６より効率よく粉塵を含む空気を吸引できる。
【００２５】
次に、本実施形態に特徴的な構成として、筐体１２の正面における吸気口１６の周囲には目張り面２８が設けられている。目張り面２８は、上目張り面２８１、下目張り面２８２、左目張り面２８３、右目張り面２８４から成る。上目張り面２８１の最外辺と下目張り面２８２の最外辺とが平面視で同一位置にあり、左目張り面２８３の最外辺と右目張り面２８４の最外辺とが側面視で同一位置にある。それぞれ、最外辺が上記の同一位置にあることで、上下および左右に並列配置させたときに、集塵機１０と他の集塵機１０と最外辺の位置が一致する。このため、吸気口１６側の集塵機１０と他の集塵機１０との間にできる隙間を完全に目張りテープなどで塞ぐことができる。
【００２６】
好適な実施形態として、上目張り面２８１、下目張り面２８２、左目張り面２８３および右目張り面２８４は、同一平面内とすればよい。筐体１２の正面が面一になるよう集塵機１０を並列配置できると共に、集塵機１０と他の集塵機１０の目張り面２８同士が平行面になるため目張りテープが貼りやすくなる。上目張り面２８１、下目張り面２８２、左目張り面２８３および右目張り面２８４はそれぞれ数ｃｍ程度の幅を有して目張り代となり、一般的な幅の５ｃｍ〜１０ｃｍある目張りテープを容易に貼ることができる。また、養生シートも目張り面２８に貼ることができ、養生シートと目張りテープを目張り面２８に貼ることで、汚染された空間を閉じることができ、複数台の集塵機１０を並列配置させて汚染された空気を吸引することが可能となる。
【００２７】
さらに、本実施形態の集塵機１０は、筐体１２の上面、下面を平面にすればよい。また、筐体１２の左側面、右側面を平面にすればよい。このとき、外枠部３０の上外周面３０１と筐体１２の上面とが同一平面内にあってもよく、同様に、外枠部３０の下外周面３０２と筐体１２の下面、外枠部３０の左外周面３０３と筐体１２の左側面、外枠部３０の右外周面３０４と筐体１２の右側面とが同一平面内にあってもよい。それぞれ同一平面内にあることで、外枠部３０だけではなく、筐体１２側の方でも隙間をなくして筐体１２の全面で密着できるので、粉塵の進入をより防ぐことができる。また、上面と下面が水平面、左側面と右側面が鉛直面であれば、設置もしやすい。
【００２８】
次に、集塵の機構について説明する。吸気口１６から排気口２０に向かう空気の流れの中で、通過する筐体１２内のフィルタ１８は複数枚の多重フィルタ１８であってもよく、吸気口１６に近い側にプレフィルタ１８１、筐体１２内の排気口２０に近い側にメインフィルタ１８２を設けてもよい。それぞれのフィルタ１８１、１８２は縁部をフィルタ枠２６で囲われ、フィルタ１８１、１８２の取り外しや固定をしやすくしている。吸気口１６に最も近い位置にあるプレフィルタ１８１に設けられたフィルタ枠２６には網が設けられ、大きな異物が衝突するのを防ぐ。なお、吸気口１６から取り込まれて排気口２０へ向かう空気の流れ方向を図１中の矢印Ａで示す。
【００２９】
吸気口１６側のプレフィルタ１８１は、１次フィルタ１８３、２次フィルタ１８４と目の大きさが異なる複数枚から成るプレフィルタ１８１を設けてもよい。少なくとも吸気口１６に近い最外側の１次フィルタ１８３のフィルタ枠２６はマグネットによって筐体１２内に固定され、フィルタ枠２６は筐体１２の正面よりも窪んだ位置である吸気口１６内に固定される。また、その他のプレフィルタ１８１およびメインフィルタ１８２は、ボルトを用いて固定されてもよい。フィルタ枠２６は、吸気口１６内に隙間なく収容される。
【００３０】
本実施形態の集塵機１０は、筐体１２内にあるフィルタ１８の設置、交換などは筐体１２の側面から行うのではなく、正面にある吸気口１６から行い、吸気口１６からフィルタ１８の出し入れを行う。マグネットによって固定されたフィルタ枠２６を吸気口１６から着脱することで、フィルタ１８の設置、交換も容易にでき、筐体１２内に固定可能であって、フィルタ枠２６は集塵機１０が運転中でも動くことがない。吸気口１６からフィルタ枠２６を着脱できるので、開閉扉５２を設けなくてもよく、開閉扉５２がないので、側面に開閉扉５２を固定する固定金具５４、蝶番（図示せず）を設けなくてもよく、側面に突起物がないので、左側面、右側面を平面にできる。特に、複数の集塵機１０を並列配置して目張りした状態であってもフィルタの交換ができる点に大きな優位性を有している。
【００３１】
フィルタ１８の一例として、１次フィルタ１８３は、直径が１０μｍ程度以上の相対的に大きな粉塵を捕集、２次フィルタ１８４は、１次フィルタ１８３で捕集不能な直径が１〜１０μｍ程度の相対的に中程度の大きさの粉塵を捕集する中性能フィルタ１８である。メインフィルタ１８２は、２次フィルタ１８４で捕集不能な直径が１μｍ程度以下の相対的に小さな粉塵を捕集する高性能フィルタ１８であり、ＨＥＰＡフィルタ１８などである。
【００３２】
本実施形態の集塵機１０は、下面に４個のキャスタ２４が設けられ、吸気口１６に近い方に２個のキャスタ２４の前輪２４１が、排気口２０に近い方に２個のキャスタ２４の後輪２４２が設けられている。キャスタ２４は他の集塵機１０の上溝部２２に接するのではなく、回転自由に下面からぶら下がった状態である。キャスタ２４は３６０°回転するものであり、回転したキャスタ２４の一部が側面より飛び出す位置にあったとしても、力を加えてキャスタ２４を回転させて上溝部２２の中に収納できる。
【００３３】
筐体１２の上面および下面には、滑り止めを設けてもよい。一例として、上下方向に並列配置したときに不都合とならない程度の大きさの凹凸、突起物などを設けてもよい。これにより、並列配置したときに前後左右にずれることを防止することができる。
【００３４】
図２に示すように、背面には集塵機１０を運転操作するための操作パネル３６、電源コード３８が設けられている。操作パネル３６および電源コード３８は、清浄された空気が排出される排気口２０付近に設けることにより、操作パネル３６が汚染されにくくなる。これと共に、複数台の集塵機１０を上下、左右方向に並列配置させてもそれぞれの集塵機１０の操作ができる。同様に、フィルタ１８の通過前圧力と通過後圧力との差圧を表示して、フィルタ１８の交換時期の指標を示すための差圧計も背面に設けてもよい。その他、通過する空気の量を調整する風量調整ボリューム、集塵機１０の運転時間を決め、自動的に起動終了できるタイマー、電源スイッチを設けてもよい。
【００３５】
以上、説明した通り、本発明に係る集塵機１０によれば、上下左右に並列配置可能であり、集塵機１０と集塵機１０との隙間を限りなく小さくできる。集塵機１０を並列配置させても隙間を通って排気口２０側へ粉塵を含む空気が行かず、目張りテープを張りやすくする目張り面２８が設けられているので、より確実に粉塵の進入を防ぐことができる。また、吸気口１６側から容易にフィルタ１８の取り外し、設置ができるので、フィルタ１８の交換が容易にできる。
【００３６】
なお、本発明は、以上説明した実施例に限定されることなく、本発明を逸脱しない範囲
において種々変更可能である。
【符号の説明】
【００３７】
１０  集塵機
１２  筐体
１４  ファン
１６  吸気口
１８  フィルタ
１８１  プレフィルタ
１８２  メインフィルタ
１８３  １次フィルタ
１８４  ２次フィルタ
２０  排気口
２２  上溝部
２４  キャスタ
２４１  前輪
２４２  後輪
２６  フィルタ枠
２８  目張り面
２８１  上目張り面
２８２  下目張り面
２８３  左目張り面
２８４  右目張り面
３０  外枠部
３０１  上外周面
３０２  下外周面
３０３  左外周面
３０４  右外周面
３２  把持部
３４  下溝部
３６  操作パネル
３８  電源コード
【図１】
2018083177.tif 000003
【図２】
2018083177.tif 000004
【図３】
2018083177.tif 000005
【図４】
2018083177.tif 000006
【図５】
2018083177.tif 000007
【図６】
2018083177.tif 000008
【図７】
2018083177.tif 000009